(57)【要約】【課題】一枚のダンボール紙等板紙で、椅子の座部、背もたれ形成部、肘掛け、脚部等の全部を簡単に組み立てできる。【解決手段】板紙製組み立て椅子であって、方形状座部形成部１と、前面脚部４、背もたれ形成部５、背面部形成部７、両側に肘掛け形成部１２、袖部形成部１３、抱え込み形成部２２、側面形成部１４を設け、前記肘掛け形成部と袖部形成部に折り目９の前端を基点として山折り可能な第１折り目１５と、折り目９の後端を基点として第２の折り目１６と、前記第１折り目１５と１１となす角を２分する谷折り可能な第３折り目と、折り目９と第１折り目１５のなす角度とほぼ等しい角度の第４折り目２０とを設け、椅子の肘掛け部を組み立て、袖部形成部を背もたれ形成部の背面に折り込み、抱え込み形成部で座部を抱え、かつ脚部をＸ型に組み立てできる。【選択図】    図１
2005021199.tif 000002
【特許請求の範囲】
【請求項１】
板紙製組み立て椅子であって、該板紙製組み立て椅子は、方形状座部形成部と、該座部形成部の後端に折り目を介して設けられた背もたれ形成部と、該背もたれ形成部の頂部に折り目を介して設けられた背面部形成部と、前記座部形成部の両側部に折り目を介して設けられた肘掛け形成部および該肘掛け形成部と連続するとともに、前記背もたれ形成部の両側部に折り目を介して設けられた袖部形成部とを備え、
該それぞれの肘掛け形成部およびそれぞれの袖部形成部は、前記座部形成部との折り目の前端を基点として前記袖部形成部の後部側端まで斜めに延びる山折り可能な第１折り目（１５）と、前記座部形成部と前記肘掛け形成部との折り目の後端を基点として該折り目に対して９０度ないし９０度より所定角度大きい角度にて肘掛け形成部の後部側端に延びるとともに前記第１の折り目と交差し交差部において屈曲し肘掛け形成部の後部側端に到達する第２の折り目（１６）と、該第２の折り目と同じ点を基点として前記袖部形成部の後端まで延びる谷折り可能な第３折り目（１７）とを備えるとともに、前記第３の折り目は、前記背もたれ形成部と前記袖部形成部との折り目と該第３の折り目と基点を同じとする第２の折り目とが形成する角度を２分するものであり、前記第１の折り目は、屈曲する前記第２の折り目を屈曲点において２分するものであり、
前記肘掛け形成部と袖部形成部とを第１折り目で山折りし、第３折り目で谷折りして肘掛け部を構成するとともに袖部を第２折り目で背もたれの背面に折り込み、背もたれ形成部に対して背面部形成部を折り返して袖部を抑えることにより組み立て可能であることを特徴とする組み立て椅子。
【請求項２】
座部形成部の前端に折り目を介して設けられた前面脚部を構成する前面形成部と、該前面形成部の両側部に折り目を介して設けられた側面形成部と、座部形成部の両側部に折り目を介して設けられた肘掛け形成部と連続する抱え込み形成部とを備え、
それぞれの肘掛け形成部に連続する抱え込み形成部は、前記座部形成部との折り目の先端を基点として抱え込み形成部の側端まで斜めに延びる第４折り目（２０）と前記側面形成部の折り目（２１）との間に形成し、
第４折り目は第１折り目と基点を同じとし、第４折り目と第１折り目とが形成する角度は座部形成部の折り目と第１折り目とのなす角と等しい角度であり、
該抱え込み形成部を第４折り目で折り曲げて座部形成部の底部を抱え込み可能であることを特徴とする請求項１記載の組み立て椅子。
【請求項３】
板紙製組み立て椅子であって、該板紙製組み立て椅子は、方形状座部形成部と、該座部形成部の後端に折り目を介して設けられた背もたれ形成部と、該背もたれ形成部の頂部に折り目を介して設けられた背面部形成部と、前記座部形成の両側部に折り目を介して設けられた肘掛け形成部および該肘掛け形成部と連続するとともに、前記背もたれ形成部の両側部に折り目を介して設けられた袖部形成部とを備え、
該座部形成部の前端に折り目を介して設けられた前面脚部を構成する前面形成部と、該前面形成部の両側部に折り目を介して設けられ、かつ端面に係合部を有する側面形成部と、座部形成部両側部に折り目を介して設けられた肘掛け形成部と連続するとともに該側面形成部に折り目を介して設けられた抱え込み形成部とを備え、
前記それぞれの肘掛け形成部およびそれぞれの袖部形成部は、前記座部形成部との折り目の前端を基点として前記袖部形成部の後部側端まで斜めに延びる山折り可能な第１折り目（１５）と、前記座部形成部と前記肘掛け形成部との折り目の後端を基点として該折り目に対して９０度ないし９０度より所定角度大きい角度にて肘掛け形成部の後部側端に延びるとともに前記第１の折り目と交差し交差部において屈曲し肘掛け形成部の後部側端に到達する第２の折り目（１６）と、該第２の折り目と同じ点を基点として前記袖部形成部の後端まで延びる谷折り可能な第３折り目（１７）とを備えるとともに、前記第３の折り目は、前記背もたれ形成部と前記袖部形成部との折り目と該第３の折り目と基点を同じとする第２の折り目とが形成する角度を２分するものであり、前記第１の折り目は、屈曲する前記第２の折り目を屈曲点において２分するものであり、
前記それぞれの肘掛け形成部に連続する抱え込み形成部は、前記座部形成部との折り目の先端を基点として肘掛け形成部の側端まで斜めに延びる第４折り目（２０）と前記側面形成部の折り目（２１）との間に形成し、
第４折り目は第１折り目と基点を同じとし、第４折り目と第１折り目とが形成する角度は座部形成部の折り目と第１折り目とのなす角と等しい角度であり、
前記背面部形成部の両側に折り目を介して設けられた背面側部形成部と、該背面側部形成部の上部に折り目を介して設けられた前記袖部形成部を抑える抑え形成部と、該背面側部形成部の下部に折り目を介して設けられる箱状に組み立てる後面脚部とを備え、該後面脚部は端面に前記前面脚部の側面形成部の係合部と係合可能な係合部を有する外側形成部と、該外側形成部に折り目を介して設けられた上側形成部と下側形成部と、該下側形成部に折り目を介して設けられ、かつ端面に前記内側形成部の係合部と係合可能な係合部を有する内側形成部とからなり、前記背面形成部の下端には折り目を介して設けられた前記前面脚部と後面脚部の底部に被せる底部形成部を備えたことを特徴とする組み立て椅子。
【発明の詳細な説明】
【０００１】
【発明の属する技術分野】
この発明は、１枚のダンボール紙等板紙で座部形成部、背もたれ形成部、肘掛け部、袖部、脚部等を組み立てできる組み立て椅子に関するものである。
【０００２】
【従来の技術】
従来の折り畳み式椅子として、折り曲げ可能な弾性薄板材で形成され、平面方形の筒状体で、角線の中間部から隣り合う角線の上端を結ぶ折り曲げ用斜線とで区切られ、かつ対向する側壁内に位置する一対の三角形状の側壁部分を、内側に折り曲げて吊り下げ部とし、前記角線および折り曲げ用斜線の交点を結ぶ折り曲げよう水平線と、これの両端に位置する角線とで区切られた方形の側壁部分を、内側に折り曲げて座面としたものがあります。（例えば、特許文献１参照。）
また、ダンボール製腰掛けとして、前後面壁と左右側壁を有する折り畳み可能な四角箱形を基本とする本体を組み立て、その前面壁の上端部を座部として後面壁に至るまで内側へ折り込みうるように、前面壁の上端部近くにその折れ線を形成するとともに、左右側壁の上端部に前面壁の前記折れ線の端から後面壁の上端に至る斜めの反転線を形成し、本体に座部の支持部材を同時に折り畳み可能に内装したものがあります。（特許文献２参照。）
【０００３】
【特許文献１】
実開平７−３９６０２号公報（図７）
【特許文献２】
特開平５−１５４０２４号公報（図１）
【０００４】
【発明が解決しようとする課題】
上記特許文献１の折り畳み式椅子では、座部、背もたれ、肘掛け、脚部がありますが、背もたれ部を補強するものがないので座部、背もたれ等が弱く、また座部の中間を脚部で支えていないので、ダンボール製では座部が弱く、また、上記特許文献２の腰掛けは、座部、背もたれ、肘掛け、脚部が有りますが、背もたれを背面より支えるものがないので、座部、背もたれが弱く、また、座部は本体とは別に設けた四角筒型の支持部材で支持するもので、複数の組み立て部材の組み合わせでできるものです。従来、１枚のダンボール紙で座部、背もたれ、肘掛け、脚部、背もたれの補強部、座部の支持脚などを全部組み立てできるようにしたものはなく、上記のように椅子の部分と座部を別部材として組み合わせて組み立てるものしかなかった。
【０００５】
この発明者は、１枚のダンボール紙等板紙でもって、座部、背もたれ、肘掛け部、脚部等に独特の折り目を工夫し、折り目で折り曲げて座部形成部、背もたれ形成部、肘掛け形成部、袖部形成部、背面部形成部、前後の脚部などを全部組み立てできるようにした組み立て椅子を考案しました。
この発明は、１枚のダンボール紙等板紙でもって、座部形成部、背もたれ形成部、肘掛け形成部、袖部、脚部等を簡単かつ堅牢に組み立て可能とした組み立て椅子を提供することを目的とする。
この発明は、背もたれ形成部の背面に肘掛け形成部に連続した袖部形成部を折り曲げて丈夫な組み立て椅子を提供することを目的とする。
この発明は、肘掛けに連続する抱え込み形成部を座部形成部の底面に折り込んで抱えることができ、また、脚部をＸ型に組み立て座部形成部を支えて安定して座ることができる組み立て椅子を提供することを目的とする。
【０００６】
【課題を解決するための手段】
この発明の請求項１の組み立て椅子は、板紙製組み立て椅子であって、該板紙製組み立て椅子は、方形状座部形成部と、該座部形成部の後端に折り目を介して設けられた背もたれ形成部と、該背もたれ形成部の頂部に折り目を介して設けられた背面部形成部と、前記座部形成部の両側部に折り目を介して設けられた肘掛け形成部および該肘掛け形成部と連続するとともに、前記背もたれ形成部の両側部に折り目を介して設けられた袖部形成部とを備え、
該それぞれの肘掛け形成部およびそれぞれの袖部形成部は、前記座部形成部との折り目の前端を基点として前記袖部形成部の後部側端まで斜めに延びる山折り可能な第１折り目１５と、前記座部形成部と前記肘掛け形成部との折り目の後端を基点として該折り目に対して９０度ないし９０度より所定角度大きい角度にて肘掛け形成部の後部側端に延びるとともに前記第１の折り目と交差し交差部において屈曲し肘掛け形成部の後部側端に到達する第２の折り目１６と、該第２の折り目と同じ点を基点として前記袖部形成部の後端まで延びる谷折り可能な第３折り目１７とを備えるとともに、前記第３の折り目は、前記背もたれ形成部と前記袖部形成部との折り目と該第３の折り目と基点を同じとする第２の折り目とが形成する角度を２分するものであり、前記第１の折り目は、屈曲する前記第２の折り目を屈曲点において２分するものであり、
前記肘掛け形成部と袖部形成部とを第１折り目で山折りし、第３折り目で谷折りして肘掛け部を構成するとともに袖部を第２折り目で背もたれの背面に折り込み、背もたれ形成部に対して背面部形成部を折り返して袖部を抑えることにより組み立て可能であることを特徴とする。
【０００７】
この発明の請求項２の組み立て椅子は、請求項１において、座部形成部の前端に折り目を介して設けられた前面脚部を構成する前面形成部と、該前面形成部の両側部に折り目を介して設けられた側面形成部と、座部形成部の両側部に折り目を介して設けられた肘掛け形成部と連続する抱え込み形成部とを備え、
それぞれの肘掛け形成部に連続する抱え込み形成部は、前記座部形成部との折り目の先端を基点として抱え込み形成部の側端まで斜めに延びる第４折り目２０と前記側面形成部の折り目２１との間に形成し、
第４折り目は第１折り目と基点を同じとし、第４折り目と第１折り目とが形成する角度は座部形成部の折り目と第１折り目とのなす角と等しい角度であり、
該抱え込み形成部を第４折り目で折り曲げて座部形成部の底部を抱え込み可能であることを特徴とする。
【０００８】
この発明の請求項３の組み立て椅子は、板紙製組み立て椅子であって、該板紙製組み立て椅子は、方形状座部形成部と、該座部形成部の後端に折り目を介して設けられた背もたれ形成部と、該背もたれ形成部の頂部に折り目を介して設けられた背面部形成部と、前記座部形成の両側部に折り目を介して設けられた肘掛け形成部および該肘掛け形成部と連続するとともに、前記背もたれ形成部の両側部に折り目を介して設けられた袖部形成部とを備え、
該座部形成部の前端に折り目を介して設けられた前面脚部を構成する前面形成部と、該前面形成部の両側部に折り目を介して設けられ、かつ端面に係合部を有する側面形成部と、座部形成部両側部に折り目を介して設けられた肘掛け形成部と連続するとともに該側面形成部に折り目を介して設けられた抱え込み形成部とを備え、
前記それぞれの肘掛け形成部およびそれぞれの袖部形成部は、前記座部形成部との折り目の前端を基点として前記袖部形成部の後部側端まで斜めに延びる山折り可能な第１折り目１５と、前記座部形成部と前記肘掛け形成部との折り目の後端を基点として該折り目に対して９０度ないし９０度より所定角度大きい角度にて肘掛け形成部の後部側端に延びるとともに前記第１の折り目と交差し交差部において屈曲し肘掛け形成部の後部側端に到達する第２の折り目１６と、該第２の折り目と同じ点を基点として前記袖部形成部の後端まで延びる谷折り可能な第３折り目１７とを備えるとともに、前記第３の折り目は、前記背もたれ形成部と前記袖部形成部との折り目と該第３の折り目と基点を同じとする第２の折り目とが形成する角度を２分するものであり、前記第１の折り目は、屈曲する前記第２の折り目を屈曲点において２分するものであり、
前記それぞれの肘掛け形成部に連続する抱え込み形成部は、前記座部形成部との折り目の先端を基点として肘掛け形成部の側端まで斜めに延びる第４折り目２０と前面脚部の側面形成部との折り目２１との間に形成し、
第４折り目は第１折り目と基点を同じとし、第４折り目と第１折り目とが形成する角度は座部形成部の折り目と第１折り目とのなす角と等しい角度であり、
前記背面部形成部の両側に折り目を介して設けられた背面側部形成部と、該背面側部形成部の上部に折り目を介して設けられた前記袖部形成部を抑える抑え形成部と、該背面側部形成部の下部に折り目を介して設けられる箱状に組み立てる後面脚部とを備え、該後面脚部は端面に前記前面脚部の側面形成部の係合部と係合可能な係合部を有する外側形成部と、該外側形成部に折り目を介して設けられた上側形成部と下側形成部と、該下側形成部に折り目を介して設けられ、かつ端面に前記内側形成部の係合部と係合可能な係合部を有する内側形成部とからなり、前記背面形成部の下端には折り目を介して設けられた前記前面脚部と後面脚部の底部に被せる底部形成部を備えたことを特徴とする。
【０００９】
この発明の組み立て椅子の構成によれば、ダンボール紙、厚紙等板紙で前記肘掛け形成部と袖部形成部との第１折り目で山折りし、第３折り目を谷折りして重合して肘掛け部と袖部形成部を組み立て、この袖部形成部を第２折り目で背もたれ形成部の背面に折り込み、背面部形成部で該袖部形成部を抑えて組み立てることができる。座部形成部の両側に肘掛け部を簡単に組み立てできるとともに袖部形成部を背もたれ形成部の背面に折り曲げて当て背面部形成部で抑えるので、肘掛け形成部と背もたれ形成部を丈夫にできる。この組み立て椅子は１枚の板紙或いは複数枚を接着して１枚とした板紙で形成することができるので、運搬、保管、陳列等に便利である。
【００１０】
この発明の組み立て椅子の構成によれば、肘掛け形成部との第４折り目と、側面形成部との折り目で形成される抱え込み形成部を座部形成部の下面に折り込み、座部形成部を抱え込んで肘掛け部、座部形成部を丈夫に組み立てできる。
【００１１】
この発明の組み立て椅子の構成によれば、前記のほかに、座部形成部の下面で前面脚部と後面脚部をＸ型に組み合わせて座部形成部を支持できるので、椅子を堅牢に組み立てでき、背もたれ形成部の背面に袖部形成部を折り込んで背面部形成部の抑え形成部を背もたれ形成部に被せて補強することができ、前記背面部形成部に設ける後面脚部は、箱形に折り曲げて組み立てて脚部を堅牢とし、座部形成部を安定して保持でき、さらに、前記座部形成部の前端の前面脚部、および前記背面部形成部に設ける後面脚部には相互に係脱しうる係合部を設けて前後の脚部、後部の脚部同士を係合して箱形に組み立てでき、座った時安定する。さらに、前面脚部と後面脚部の底面を覆うことができる底部形成部を設けたので、前後の脚部を確実に結合でき、組み立て椅子を丈夫とすることができる。
【００１２】
【発明の実施の形態】
図に基づきこの発明の実施形態について詳細に説明する。図１はこの発明の組み立て椅子の展開図、図２は椅子前部の拡大展開図、図３は椅子後部の拡大展開図、図４は別の実施例の組み立て椅子を構成する前後部を分離した展開図、図５は同組み立て椅子の前後部を結合した展開図、図６は椅子の前部と後部を組み立てる状態の斜視図、図７は椅子の前部と後部を組み立てる状態の斜視図、図８は椅子の座部形成部、前面脚部、背もたれ形成部、袖部形成部の背面側拡大斜視図、図９は椅子の背面部形成部、後面脚部の背面側拡大斜視図、図１０は組み立てた状態の組み立て椅子の斜視図、図１１は組み立て椅子の平面図、図１２は同側面図、図１３は底部形成部を除いて示す椅子の底面図、図１４は脚部を底部形成部で覆った椅子の底面図である。
【００１３】
図１および図２において、ダンボール紙、厚紙等板紙Ａでもって、座部形成部１と、その前後端に折り目２、３を介して前面脚部４を構成する前面形成部４ａと背もたれ形成部５と、該背もたれ形成部５の頂部に折り目６を介して背もたれ形成部の背面を覆いかつ後面脚部８を構成する背面部形成部７と、前記座部形成部１と背もたれ形成部５および前面脚部４の前面形成部４ａの両側には折り目９、１１、１０を介して肘掛け形成部１２と袖部形成部１３、抱え込み形成部２２および側面形成部１４が設けられ、かつ肘掛け形成部１２、袖部形成部１３、抱え込み形成部２２および側面形成部１４が連続して一体に設けられている。前記背面部形成部７の先端には折り目６１を介して底部形成部６０が設けられている。背もたれ形成部５は、座部形成部１の折り目３から頂部の折り目６までほぼ正方形とし、背面形成部７は、頂部の折り目７から底部形成部６０の折り目６１までほぼ長方形とし、その上部両側に抑え部、その両側に後面脚部を備える。
板紙Ａとしては、１枚の板紙或いは複数枚を接着して１枚とした板紙を使用する。図１ないし図３に示す実施形態では、組み立て椅子の前記座部形成部、背もたれ形成部、背面部形成部、袖部形成部、肘掛け形成部、抱え込み形成部、前面脚部の前面形成部と側面形成部等を一枚のダンボール紙を用いてカッター等裁断機で作成した場合を示す。図４および図５に示す実施形態は、２枚のダンボール紙を用い、背もたれ形成部５と背面部形成部７とを頂部で継ぎ合わせるように別々に設けた椅子前部Ａ１と後部Ａ２を示す。カッター等で大きなダンボール紙を一度に裁断出来ない場合には、例えば、前記背もたれ形成部（前部）と背面部形成部（後部）の上部で分離して別々に裁断して作成し、背もたれ形成部側の継ぎ合わせ部２３ａと背面部形成部側の継ぎ合わせ部２３ｂを接着剤等で接着して一枚にしてもよい。ダンボール紙等板紙とするので、着色、印刷等ができ、布を張ることもできる。座部形成部、背もたれ形成部等に人気のキャラクター等絵柄の印刷を施せば商品価値を向上できる。
【００１４】
前記座部形成部１、前面脚部４の前面形成部４ａ、背もたれ形成部５はほぼ長方形とし、その両側の肘掛け形成部１２と、袖部形成部１３、抱え込み形成部２２と側面形成部１４を一体のほぼ方形状とし、かつ背面部形成部７は前面脚部４と背もたれ形成部５とを合わせた長さとほぼ同じ縦長の方形に設けられ、その背面部形成部７には両側に背面側部形成部、抑え形成部、後面脚部８等が一体に設けられている。方形状の座部形成部１は後部を若干幅狭くして、座部形成部の前面を広げて座り易い形状としてあるが、これに限られものではなく、例えば、前部と後部の幅をほぼ同じとしても良い。背もたれ形成部はほぼ正方形としてある。座部形成部と同じ方形の補強用板紙を別途設け、これを座部形成部の裏面に貼着して座部形成部を補強して座ったときに座面に凹みを生じないようにすることもできる。また、背もたれ形成部５は、折り目３を折り座部形成部に対して９０度ないし９０度より所定角度大きい角度に折り曲げられる。座部形成部１に対する背もたれ形成部の折り曲げ角度αは、椅子として座り心地を考慮して、背もたれ形成部を後方へ若干傾斜した状態に折り曲げた角度とするのが好ましい。実施形態ではαを９０度より所定角度大きい角度としてある。座部形成部１に対して前面脚部４を構成する前面形成部４ａは折り目２で下方に折り曲げられる。座部形成部１に対する前面形成部４ａの折り曲げ角度βは、ほぼ９０度として、座部形成部１を水平或いは前部を奥より若干高くして傾斜状として、前面脚部は床面に垂直に立てるように折り曲げる。座部形成部のほか、脚部、背もたれ形成部等補強が必要な面の内面に同じ大きさの補強用板紙を貼着して補強することができる。
【００１５】
図１ないし図５において、前記肘掛け形成部１２および袖部形成部１３は、前記座部形成部１との折り目９の前端（座部形成部１の折り目２と９の交点）Ｅを基点として前記袖部形成部１３の後部側端まで斜めに延びる山折り可能な第１折り目１５と、前記座部形成部１と前記肘掛け形成部１２との折り目９の後端（座部形成部１の折り目３と背もたれ形成部と袖部形成部との折り目１１の交点）Ｆを基点として該折り目９に対して９０度ないし９０度より所定角度大きい角度にて肘掛け形成部の後部側端に延びるとともに前記第１の折り目と交差し交差部において屈曲し肘掛け形成部の後部側端に到達する第２の折り目１６と、該第２の折り目１６と同じ点を基点として前記袖部形成部の後端まで延びる谷折り可能な第３折り目１７とを備えるとともに、前記第３の折り目１７は、前記背もたれ形成部と前記袖部形成部との折り目１１と該第３の折り目１７と基点を同じとする第２の折り目１６とが形成する角度を２分するものであり、前記第１の折り目１５は、屈曲する前記第２の折り目１６を屈曲点において２分するものである。
座部形成部の両側の肘掛け形成部１２と袖部形成部１３を第１折り目１５で山折りして肘掛け部Ｂが構成され、第１折り目１５で山折りすると共に第３折り目１７で谷折りした袖部形成部を第２折り目１６で折り曲げて形成される背もたれ形成部の背面に折り込む袖部Ｃとを組み立て、背もたれ形成部に対して背面部形成部７を折返してその袖部Ｃが抑えられて背もたれ形成部５が補強される。
【００１６】
図２に示すように、第１折り目１５は、前記肘掛け形成部１２に折り目９の前端Ｅを基点とし角度（∠ＦＥＧ）θで、第２折り目１６との交点Ｇとを結び、袖部形成部１３の後部側端の切欠部１８の交点Ｊまで傾斜状に延びて設けられる。肘掛け部の後端（ＦＧ＝ＧＩ）の高さ（肘掛け形成部を座部形成部に対して上方に折り曲げた時の座部形成部からの高さ）Ｈは任意の高さとする。実施例では、肘掛け形成部１２の後端の高さＨは、背もたれ形成部５の高さより低く、中央部より高く設けられている。この高さＨはこれに限られるものでなく、例えば背もたれ形成部の高さとほぼ同じ高さ、或いは背もたれ形成部の高さの中央部より低い高さとすることもできる。
また、袖部形成部の後端には折り込み時に端部が背もたれ形成部の頂部内面に当たらないように第１折り目１５に対して斜めに切り込んでＶ型切欠部１８が設けられ、肘掛け形成部１２と袖部形成部１３の第１折り目１５は、その切欠部１８と第１折り目１５との交点Ｊと前記折り目９の前端の交点Ｅとを結んで設けられる。折り目９と第１折り目１５との角度（∠ＦＥＧ）θと、第１折り目１５と後述の第４折り目２０との角度（∠ＧＥＩ）θをほぼ等しくしてある。
【００１７】
第２折り目１６は、肘掛け形成部１２と袖部形成部１３とを区分する折り目であって、肘掛け形成部１２の折り目９の後端Ｆを基点として前記Ｇと結び、∠ＥＦＧを座部形成部１に対する背もたれ形成部の起立角度αとほぼ同角度θ３とし、第１折り目１５を中心としてＦＧとＧＩが等角に屈折して設けられる。第１折り目１５と、その両側の第２折り目１６となす角度θ１は等しくしてある（∠ＦＧＥ＝∠ＥＧＩ）。実施形態では第１折り目１５を中心として両側に対称に同じ三角形の肘掛け形成部１２が形成され、その折り目１５で山折りして三角形の肘掛け形成部を合わせるようにしてある（三角形ＥＧＦと三角形ＥＧＩは等しい）。折り目９と第２折り目１６とのなす角度（∠ＥＦＧ）θ３は座部形成部１と背もたれ形成部５の角度αとほぼ同じとする。また、第２折り目１６と折り目２０とのなす角度（∠ＧＩＥ）は折り目９と第２折り目１６とのなす角度（∠ＥＦＧ）θ３と等しくしてある。第１折り目で山折りすることにより肘掛け部の第２折り目（ＦＧとＧＩ）が同じ位置で合わせられ、第３折り目１７で谷折りしてこの第２折り目１６を背もたれ形成部５の折り目１１に合わせて袖部Ｃが折り曲げられる。袖部形成部１３には第１折り目１５と第２折り目１６の外側にできる折り曲げ形成部１３ａが含まれる。袖部形成部１３を第２折り目１６で折り曲げるとこの折り曲げ形成部１３ａが一番外側となり、この面に背面部形成部７の抑え部Ｄが当てられる。
【００１８】
第３の折り目１７は、前記背もたれ形成部５と前記袖部形成部１３との折り目１１と該第３の折り目と基点を同じとする第２の折り目１６とが形成する角度を２分するものである。第３折り目１７は、前記第１折り目１５と袖部形成部１３の折り目１１とで囲まれる面をその折り目の前端Ｆを基点として端部まで中間で谷折り可能に設けられる。この第３折り目１７と折り目１１の角度θ２と第３折り目１７と第２折り目１６の角度は等しくする（∠ＫＦＭ＝∠ＫＦＧ）。なお、板紙の厚み分を考慮して、例えば山折り、谷折りのために肘掛け形成部、袖部形成部等の折り目の角度を若干修正して合わせる。
図に示す実施例では、θは約３０度、θ１は約５０度、θ２は約３８度、θ３は約１００度の場合を示してある。
実施例では袖部形成部１３の端部には折り込み時に対向する端部が当たらないように第３折り目１７に対して斜めに切り込んでＶ型切欠部１９が設けられている。前記袖部形成部１３の第３折り目１７は、Ｖ型切欠部１９の交点Ｋと前記折り目１１の前端Ｆとを結んで設けられている。背もたれ形成部の巾が狭く両側の袖部形成部を折り込んだ時に端部が重なる場合には、袖部形成部の端部を前記のように切欠いて切欠部を設けて端部同士が重ならないようにするのが好ましい。また、袖部形成部の後端部は背もたれ形成部５を折り目６で折るときに邪魔とならないようにカットするのが好ましい。背もたれ形成部の巾が広く両側の袖部形成部を折り込時端部が重なることがない場合には、切欠部を設けなくともよい。実施形態では袖部形成部の端部が背もたれ形成部頂部に当たらないように、また端部同士が相互に当たらないようにＶ型切欠部を設けたが、この形状に限られるものではなく、端部を適宜形状にカットして当たらないようにすることができる。
【００１９】
従って、図６ないし図１０に示すように、椅子の座部形成部、背もたれ形成部、肘掛け部、袖部形成部は、肘掛け形成部１２と袖部形成部１３を座部形成部１の折り目９、１１で上方へ折り曲げて起立させ、肘掛け形成部１２と袖部形成部１３を第１折り目１５で山折りして重合させた三角形状の肘掛け部Ｂとそれに連続した袖部形成部１３が組み立てられ、袖部形成部１３は第１折り目の山折り、第３折り目１７の谷折りで重ね合わされ、その重合した袖部形成部１３が第２折り目１６で折り曲げられて、この折り目１６が背もたれ形成部５の折り目１１に合わされ袖部Ｃとして背面に折り込まれ、背もたれ形成部５の背面を覆う背面部形成部７で該袖部Ｃが抑えられて組み立てられる。重ね合わせた袖部形成部を折り曲げて背もたれ形成部の背面に当て、それを背面部形成部の抑え形成部で抑えるので、背もたれ形成部を起立状に確実に保持できる。
【００２０】
図１ないし図９に示すように、椅子の脚部は座部形成部を支持するように前面脚部４と後面脚部８が構成される。
前面脚部４は、前面形成部４ａと、その両側に折り目１０を介して設けた側面形成部１４とからなる。該側面形成部１４の側部に折り目２１を介して前記肘掛け形成部１２と連続した抱え込み形成部２２が一体に設けられる。
第４折り目２０は、肘掛け形成部１２と抱え込み形成部２２を区分する折り目であって、第１折り目１５と基点を同じとし、第４折り目と第１折り目とが形成する角度は座部形成部の折り目と第１折り目とのなす角と等しい角度であり、肘掛け部の山折り時、肘掛け形成部１２と座部形成部１との折り目９の前端Ｅを基点として座部形成部と肘掛け形成部の折り目９に合わせて折り曲げ可能とする。第４折り目２０は第１折り目１５を中心として座部形成部１の折り目９と対称で、かつ肘掛け形成部１２と座部形成部１との折り目９と第１折り目１５とのなす角度θとほぼ等しい角度（∠ＦＥＧ＝∠ＧＥＩ）に設けられ、この第４折り目２０と前記側面形成部１４の折り目２１との間に三角形状の抱え込み形成部２２が形成され、該抱え込み形成部２２で座部形成部１の底部を抱え込みうるようにする。すなわち、第１折り目１５に対して両側に対称に三角形が形成されるので、第１折り目１５で山折りすると、肘掛け部Ｂの下端となる第４折り目２０のＥＩが折り目９のＥＦと合致され、かつ折り目２１を谷折りし、三角形状の抱え込み形成部２２を座部形成部１の下面に折り曲げて密接させ座部形成部１の底部を抱え込むように組み立てできる。
【００２１】
椅子の脚部の構成は、前面脚部４の側面形成部と、後面脚部８の脚部形成部をＸ型に組み合わせて座部形成部の底部を支持できる構造とする。実施形態では、座部形成部１に対して前面脚部４の前面形成部４ａを折り曲げて立て、かつ座部形成部１に対して肘掛け形成部１２を第１折り目１５で山折りし、折り目９を谷折りし、かつ抱え込み形成部２２の第４折り目２０を座部形成部１の折り目９に合わせて折り曲げ座部形成部１の底面に折り込んで座部形成部１の底面を受けて支持する。また、後面脚部８は背面部形成部７の下部と、その両側の板状或いは箱形等の脚部形成部４０とからなり、背面部形成部７に対して脚部形成部を折り曲げて座部形成部１の底面を受けて支持する。この前面脚部４の側面形成部と後面脚部８の脚部形成部４０をＸ型に組み合わせて座部形成部１を受けて保持する。
【００２２】
実施形態の脚部をＸ型とした場合の前面脚部４の構造を説明する。
前面脚部４は方形の前面形成部４ａの両側に折り目１０を介して方形の側面形成部１４が設けられ、該側面形成部１４と抱え込み形成部２２との折り目２１は折り目１０に対して直角で、折り曲げ時床面に垂直になるようにする。座部形成部１の前部を奥より高くして座面を傾斜させる場合は、折り目２１を折り目１０に対して傾斜させる。
第４折り目２０は、肘掛け形成部１２の折り目９の前端Ｅを基点として端部Ｉまで第１折り目１５と折り目９とのなす角度θと等しい角度（∠ＦＥＧ＝∠ＧＥＩ）で、かつ折り目２１との角度（∠ＮＥＩ）をθ４として、座部形成部１の底面に折り込みうる抱え込み形成部２２が形成される。角度θ４は前記第１折り目１５のθの大きさと、座部形成部に対する側面形成部１４の折り目２１の角度により変わる。実施例でθ４は約３５度としてある。抱え込み形成部２２を座部形成部の底面に折り込時、抱え込み形成部２２の折り目２１が座部形成部１の下面に対して斜めに配置され、両側の側面形成部１４が交叉方向に組み立てられる。実施形態では両側の側面形成部１４は後述の後面脚部８の脚部形成部４０とＸ型に組み立てできるように折り目２１で折り曲げる。
従って、この前面脚部４の両側の側面形成部１４と後述の後面脚部８の脚部形成部４０を座部形成部１の四隅を結ぶ対角線の方向に折り曲げてＸ型に組み立て支持可能とできる。
前面脚部４の構造は上記のものに限定されるものではなく、例えばその側面形成部を箱形に構成して座部形成部を支持するようにもでき、或いは、第１折り目１５より下部を真っ直ぐとした側面形成部とすることもできる（この場合は第４折り目と折り目２１を設けない）。或いは、前面脚部４を箱形に組み立てる構造とすることもできる。
【００２３】
背もたれ形成部５の頂部２４は任意の巾の２本の折り目６を設けて断面コ字型に折り曲げ可能に設けられ、該背もたれ形成部に連続して背もたれ形成部の背面を覆う面７ａと後面脚部８とを構成する背面部形成部７が一体に設けられる。又、図４および図５に示すように背面部形成部７は背もたれ形成部５と分離して背もたれ形成部５の上端に接着剤等結合手段により継ぎ合わせて一枚の板紙とすることもできる。
背面部形成部７は、その上部両側に折り目２５を介して前記背もたれ形成部５の背面に被せて袖部形成部１３を抑える抑え部Ｄが設けられ、かつその下部は後面脚部８とされる。
背面部形成部７の両側には折り目２５を介して背面側部形成部２６、該背面側部形成部２６の上部に折り目２７ａを介して背もたれ形成部の背面に折り込む袖部形成部を抑える抑え部Ｄと、下部両側には、折り目２７ｂを介して箱形に組み立て可能な脚部形成部４０が形成される。脚部形成部４０は外側形成部４１と下側形成部４８と内側形成部５０および上側形成部４３を折り目を介して連設し、かつ前記前面脚部の側面形成部１４と、後面脚部の内、外側形成部５０、４１には、対向する端面に相互に係脱しうる係合部を設けて前面脚部と後面脚部とをＸ型に組合せ可能にし、背面部形成部７の下端には前記前面脚部と後面脚部に被せて嵌める底部形成部６０が設けられている。
実施形態では、縦長の方形状背面部形成部７の両側に折り目２５を介して抑え形成部２９等の抑え部Ｄと、後面脚部８の両側の脚部形成部４０とを構成する一連の方形状板面を形成し、抑え形成部２９と脚部形成部とを切り離す切り込み２８を入れ、抑え形成部と脚部形成部を折り目で別に折り曲げ可能としてある。
前記背面部形成部７の後面脚部８は、箱形に折り曲げて組み立てて脚部を堅牢とし、座部形成部を安定して保持できるようにするのが好ましい。実施形態では、後面脚部８の両側に箱形の脚部形成部４０が構成されている。さらに、背面部形成部７の下端には折り目６１を介して脚部の下面に嵌める底部形成部６０が形成されている。
【００２４】
背面部形成部７の上部から下部までの両側に折り目２５を介して背もたれ形成部と任意の間隔をとるために幅狭の背面側部形成部２６が形成され、該背面側部形成部２６に折り目２７ａ、２７ｂを介して方形の板面が設けられ、その板面の外端より背面側部形成部２６まで切り込み２８を入れてその上部に前記袖部Ｃを抑える方形状の抑え形成部２９と、下部に箱形に組み立てる脚部形成部４０が形成される。
該背面側部形成部２６の上部には、背面部形成部７の頂部から脚部形成部４０の上部までの折り目２７ａが座部形成部に対する背もたれ形成部の傾斜角度とほぼ同じ傾斜として設けられ、背面部形成部７の上部の抑え形成部２９を折り目２５、２７ａで断面コ字型に折り曲げた時、抑え形成部２９を背もたれ形成部の座部形成部に対する傾斜面とほぼ平行となるようにして抑え部Ｄが構成され、前記袖部形成部を背面より抑えることができるようにする。
また、側部形成部２６の下部は幅広の帯状として、下部の脚部形成部４０との折り目２７ｂが床面に対して垂直に設けられ、脚部形成部４０をその折り目２５、２７ｂで座部形成部に対して前記側面形成部１４の角度に合わせた角度となるように折り曲げて座部形成部１を支持しうるようにする。
【００２５】
背もたれ形成部の背面に被せる袖部を抑える抑え部Ｄの構造を説明する。  両側の抑え形成部２９は先端に前記折り目２７ａと同じ傾斜の折り目３０を介して前記側部形成部２６の巾とほぼ同じ幅とした側部形成部３１が設けられ、さらに、その先端に折り目３２を介して折り曲げ形成部３３が設けられている。そして、対向する抑え形成部２９には一方の先端の側部形成部３１に差込片３４、他方の先端の側部形成部３１に差込孔３５が設けられ、差込片を差込孔に差し込んで抑え部Ｄを組み立てる。
従って、図９に示すように、抑え形成部２９を折り目２５、２７ａ、３０、３２でコ字型に折り曲げて抑え部Ｄを形成して、これを背もたれ形成部に当てると、背もたれ形成部と背面部形成部間に所定の間隔が設けられ、ダンボール紙の弾性と相俟って背もたれ形成部の背面に折り込んだ袖部を弾性的に抑えて挟持でき、背もたれ形成部を支えて補強することができる。実施例では、抑え形成部の先端を差込孔と差込片を相互に差し込んで止める場合を示したが、これに限られるものではなく、例えば対向する抑え形成部の先端を相互に係合できる構造とすることもでき、或いは接着して止めることもできる。
【００２６】
背面部形成部７の後面脚部８の構造を説明する。背面部形成部７の下部の後面脚部８には、その両側に折り目２７ｂを介して箱形の脚部の脚部形成部４０が設けられ、該脚部形成部４０が折り目２５、２７ｂで任意の角度に折り曲げ可能とされる。脚部形成部４０は前記前面脚部４の両側の側面形成部１４とほぼ同じ高さとして、前面脚部４の両側の側面形成部１４とを相対向させて組み立て、前面脚部４の側面形成部１４と後面脚部８の箱形とする脚部が椅子の脚でありかつ座部形成部１を受ける支持脚となる。
【００２７】
実施形態では、座部形成部１を保持する脚部をＸ型とした場合で、後面脚部８の両側に箱形の脚部形成部を設け、前脚部とＸ型に組み合わせて組み立てる椅子について説明する。
前面脚部４の前面形成部４ａの下端には差込片６６が設けられ、側面形成部１４の先端には折り目６７を介して折り曲げ形成部６８が形成され、差込孔６９が設けられている。後面脚部８の両側の箱形の脚部形成部４０は、前記背面側部形成部２６と、その側面に折り目２７ｂを介して設けた方形状の外側形成部４１と、該外側形成部４１の上部に折り目４２を介して設けた上側形成部４３と、該上側形成部４３に折り目４４を介して設けた折り曲げ形成部４５で構成され、その先端に差込片４６が形成され、そして、外側形成部４１の下部には折り目４７を介して下側形成部４８と、下側形成部４８に折り目４９を介して方形状の内側形成部５０と、該内側形成部５０に折り目５１を介して折り曲げ形成部５２とが構成される。内側形成部５０には前記差込片４６を差し込む差込孔５３が設けられている。脚部形成部４０は内、外側形成部４１、５０、上側形成部４３、下側形成部４８を折り目で折り曲げて差込片４６を内側形成部５０の差込孔５３に差し込んで箱形に組み立てる。
また、下側形成部４８には後述の底部形成部６０の差込片６３を差し込む差込孔５４が形成されている。実施例では、前記折り曲げ形成部４５、差込片４６は前記板面の切り込み２８により形成されているが、これに限られるものではない。
【００２８】
前記座部形成部１の前面脚部４、および前記背面部形成部の後面脚部８には、脚部をＸ型に組み合わせるために、相対向する端面に相互に係脱しうる係合部５５を設ける。
前後の脚部をＸ型に組み合わせる係合部５５として、前面脚部４の両側に設ける方形の側面形成部１４の側端面に複数の係合片５６が一定の間隔に形成され、後面脚部８の外側形成部４１と内側形成部５０の側端面には一定の間隔をおいて係合片５７、５８が形成され、左右の内側形成部５０の係合片５８は対向させて相互に嵌合しうるように互い違いに形成され、また、左右の外側形成部４１の係合片５７は前記前面脚部４の側面形成部１４の側端面に設けた係合片５６と相互に嵌合しうるように互い違いに形成されている。
【００２９】
前面脚部４の側面形成部１４の係合片５６は両側が円弧状に切り込まれた凸片（差込片）５６ａと、嵌合溝５６ｂが形成され、後面脚部８の外側形成部４１にも同様に凸片（差込片）５７ａと嵌合溝５７ｂ、またその内側形成部５０にも同様に凸片（差込片）５８ａと嵌合溝５８ｂが設けられる。凸片と嵌合溝の位置は相対向して係合できるように位置をずらせて形成されている。
従って、肘掛け形成部１２の抱え込み形成部２２を座部形成部１の下面に折り込み、前面脚部４の側面形成部と後面脚部８の両側の箱形に組み立てた脚部形成部４０をそれぞれ座部形成部１の四隅を結ぶ対角線に沿って斜めに折り曲げ、前部脚部の側面形成部１４の凸片５６ａが後面脚部の外側形成部４１の嵌合溝５７ｂに嵌合され、その嵌合溝５６ｂに後面脚部の外側形成部４１の凸片５７ａが相互に嵌合され、かつ後面脚部の内側形成部５０同士の凸片５８ａと嵌合溝５８ｂも同様に相互に嵌合されて、座部形成部１に対して前面脚部４、後面脚部８の支持脚をＸ型に組み立て支持することができる。
ダンボール紙等板紙で前記側面形成部、脚部形成部の側板に凸片、嵌合溝を一体に設けるので、板紙だけで椅子を組み立てできて便利である。
なお、前面脚部と後面脚部の支持脚、後面脚部の支持脚同士の結合構造はこれに限られるものではなく、対向面に適宜結合構造を設けて結合するか、接着剤で接着するか、接着テープ等で止めることもできる。
【００３０】
背面部形成部７の端面に折り目を介して前面脚部と後面脚部の底面を覆うことができる底部形成部６０を設け、該底部形成部を前記前面脚部と後面脚部の底面に装着可能とする。実施形態では背面部形成部７の下端に折り目６１を介して底部形成部６０が設けられている。
実施形態では、Ｘ型に組み合わせる前面脚部と後面脚部を覆うように底部形成部６０は両側をＶ型に形成した面６２とし、その面のほぼ中央に差込片６３が設けられ、かつ先端の折り曲げ形成部６４には前面脚部４の先端に設ける差込片６６を差し込む差込孔６５が設けられている。
前面脚部の側部形成部と後面脚部の脚部形成部が凸片と嵌合溝で嵌合され、しかもその組み合わせた前面脚部と後面脚部の底面に底部形成部６０を被せて嵌めるので、前面脚部と後面脚部が外れることなく確実に保持でき、ダンボール紙等板紙でも椅子に安定して座ることができる。ダンボール紙等板紙で前記背面部形成部に底部形成部を一体に設けるので、板紙だけで脚部を補強して椅子を組み立てできる。
なお、底部形成部６０はＸ型に組み合わせる脚部の底面に合わせた形状としたが、これに限られるものではなく、例えば方形等とすることは自由に出来る。なお、底部形成部は差込片を設けて、脚部に差込み結合する構造としたが、これに限られるものではなく、例えば、脚部底面に接着剤で接着するか、或いは接着テープで止めることもできる。板紙の厚み分を考慮して、例えば山折り、谷折りのために脚部、抑え形成部、底部形成部等全ての折り目の角度を若干修正して合わせる。
【００３１】
上記したこの発明の組み立て椅子の組み立て方を図５ないし図１３で説明すると、座部形成部１に対して折り目３で折り曲げて背もたれ形成部５を所定の傾斜角度に起立させ、肘掛け形成部１２を座部形成部１の折り目９で折り曲げて起立させ、袖部形成部１３を折り目１１で後方へ折り曲げ、かつ肘掛け形成部１２と袖部形成部１３を第１の折り目１５で山折りし、第３折り目１７で谷折りして重合させて肘掛け部Ｂとそれに連続した袖部Ｃが組み立てられ、その重合した袖部Ｃを第２折り目１６を背もたれ形成部５の傾斜した折り目１１に合わせて背面に折り込み、背面部形成部７の抑え形成部２９を折り目でコ字型に折り曲げて抑え部Ｄを形成して、これを背もたれ形成部に当てると背もたれ形成部と背面部形成部間に所定の間隔が設けられ、ダンボール紙の弾性と相俟って背もたれ形成部の背面に折り込んだ袖部形成部を弾性的に保持し、前面脚部４を座部形成部１に対して折り目２で下方へ折り曲げ、第４折り目２０で抱え込み形成部２２を折り曲げて座部形成部１の下面に折り込んで底部を抱える。脚部形成部４０は外側形成部４１、内側形成部５０、上側形成部４３、下側形成部４８を折り目で折り曲げて外側形成部４１の差込片４６を内側形成部５０の差込孔５３に差し込んで箱形に組み立てられ、前面脚部４の側面形成部１４と後面脚部８の両側の脚部形成部４０をそれぞれ座部形成部１の四隅を結ぶ対角線に沿って斜めに折り曲げ、前面脚部４の側面形成部１４の凸片５６ａが後面脚部８の外側形成部４１の嵌合溝５７ｂに嵌合され、かつ側面形成部１４の嵌合溝５６ｂに外側形成部４１の凸片５７ａが嵌合され、かつ後面脚部８の相対向する内側形成部５０、５０の凸片５８ａと嵌合溝５８ｂも同様に相互に嵌合されて、座部形成部１に対して前面脚部４、後面脚部８の脚部をＸ型に組み立て支持することができる。そして、そのＸ型に組み立てた脚部に対して底部形成部６０を折り曲げて、差込片６３を後面脚部８の下側形成部４８の差込孔５４と前面脚部４の折り曲げ形成部６８の差込孔６９に差込み、さらに、前面脚部４の前面形成部４ａの下端の差込片６６を底部形成部６０の差込孔６５に差込んで椅子の脚部の組み立てを完了する。底部形成部６０をＸ型に組み立てた脚部に被せ、座部に座って荷重がかかるもＸ型に組んだ脚部が外れるのを防ぐことができ、ダンボール製等板紙の椅子であっても、安全に座ることができる。
１枚の方形状ダンボール紙等板紙を図１〜３に示すように無駄なく使用してカット製作できるので、ダンボール紙等の切れ端の無駄となる部分が非常に少なく省資源と出来、１枚のダンボール紙であるから、保管、搬送、陳列等にも便利である。また、１枚のダンボール紙を組み立てるだけですから、災害など緊急の場合に速やかに組み立てて使用することができて、便利であり、災害用として多数備蓄しておくことができる。また、肘掛け、背もたれ形成部、Ｘ型脚部、前面脚部、後面脚部等は折り目が外面に出ますが、切断面は外部に殆ど出ていないので椅子の外観が非常にきれいにでき、商品価値を向上できる。また、実施形態では、組み立て椅子を接着剤等を使用しないで、組み立てているので、解体が容易で、回収業者等に出しやすく、リサイクルに適している。
【００３２】
以上この発明の実施の形態の一例について説明したが、この発明はこうした実施の形態のものに何等限定されず、この発明の要旨を逸脱しない範囲において種々なる形態で実施しうることは勿論である。この発明の板紙は、合成樹脂製のフイルム等折り曲げ可能な板材をも含むものである。
【００３３】
【発明の効果】
この発明の組み立て椅子は、ダンボール紙、厚紙等板紙で前記肘掛け形成部と袖部形成部との第１の折り目を山折り、第３の折り目を谷折りで合わせて肘掛け部と袖部形成部を組み立て、この袖部形成部を第２の折り目で背もたれ形成部の背面に折り込み、背面部形成部で該袖部形成部を抑えて組み立てることができる。座部形成部の両側に肘掛け部を簡単に組み立てできるとともに袖部形成部を背もたれ形成部の背面に当て背面部形成部で抑えるので、肘掛け部と背もたれ形成部を丈夫に補強できる。この組み立て椅子は１枚のダンボール紙等板紙を利用して無駄なく形成することができ、資源の無駄が無く、かつ、板状のままで多数枚重ねて運搬、保管、陳列等できるので便利である。
【００３４】
この発明の組み立て椅子は、肘掛け形成部に第４の折り目を介して抱え込み形成部を座部形成部の下面に折り曲げ可能に設けたので、抱え込み形成部で座部形成部を抱え込み丈夫に脚部を組み立てできる。
【００３５】
この発明の組み立て椅子は、前記効果の他に、座部形成部の下面で前面脚部と後面脚部をＸ型に組み合わせて座部形成部を保持できるので、椅子を堅牢に組み立てできる。前記背面部形成部に設ける後面脚部は、箱形に折り曲げて組み立てて脚部を堅牢とし、座部形成部を安定して保持できる。また、前記座部形成部の前面の前面脚部、および前記背面部形成部に設ける後面脚部の相対向する端面に相互に係脱しうる係合部を設けたので、前後の脚部を係止して確実に結合でき、座部を安定して支えることができる。
さらに、前面脚部と後面脚部の底面を覆うことができる底部形成部を設けたので、前後の脚部が外れることなく確実に結合でき、組み立て椅子を丈夫とすることができる。
【図面の簡単な説明】
【図１】この発明の組み立て椅子の展開図である。
【図２】椅子前部の拡大展開図である。
【図３】椅子後部の拡大展開図である。
【図４】別の実施例の組み立て椅子を構成する前後部を分離した展開図である。
【図５】椅子の前後部を結合した展開図である。
【図６】椅子の前部と後部を組み立てる状態の斜視図である。
【図７】椅子の前部と後部を組み立てる状態の斜視図である。
【図８】椅子の座部形成部、前面脚部、背もたれ形成部、袖部形成部の背面側拡大斜視図である。
【図９】椅子の背面部形成部、後面脚部の拡大斜視図である。
【図１０】組み立てた状態の組み立て椅子の斜視図である。
【図１１】組み立て椅子の平面図である。
【図１２】同側面図である。
【図１３】底部形成部を除いて示す椅子の底面図である。
【図１４】脚部を底部形成部で覆った椅子の底面図である。
【符号の説明】
１  座部形成部
４  前面脚部
５  背もたれ形成部
７  背面部形成部
８  後面脚部
９    折り目
１０  折り目
１１  折り目
１２  肘掛け形成部
１３  袖部形成部
１４  側面形成部
１５  第１折り目
１６  第２折り目
１７  第３折り目
２０  第４折り目
２１  折り目
２２  抱え込み形成部
２９  抑え形成部
４０  脚部形成部
４１  外側形成部
５０  内側形成部
５５  係合部
５６  係合片
５７  係合片
５８  係合片
６０  底部形成部
Ａ  板紙
Ｂ  肘掛け部
Ｃ  袖部
Ｄ  抑え部
【図１】
2005021199.tif 000003
【図２】
2005021199.tif 000004
【図３】
2005021199.tif 000005
【図４】
2005021199.tif 000006
【図５】
2005021199.tif 000007
【図６】
2005021199.tif 000008
【図７】
2005021199.tif 000009
【図８】
2005021199.tif 000010
【図９】
2005021199.tif 000011
【図１０】
2005021199.tif 000012
【図１１】
2005021199.tif 000013
【図１２】
2005021199.tif 000014
【図１３】
2005021199.tif 000015
【図１４】
2005021199.tif 000016